(57)【要約】【課題】  夜間において、外部からの発見を容易にすると同時に、高い耐久性を備え、しかも、交換等の際に蓋裏側からの作業のみでも脱着が可能な地下構造物位置表示のための発光装置を提供する。【解決手段】  消火栓その他の地下構造物の位置を表示するための発光装置について、発光面１４をほぼ上向きにしてケース１８内に設けられ、ケース１８ごと目的箇所に取り付けるために、目的箇所を貫通する取り付け手段２１をケース下部に突出させた発光部１２と、発光部１２を収める凹状の部分を有し、かつ取り付け手段２１を貫通させる貫通口２５を底部に設けた収容部１３とを具備し、取り付け手段２１を締め付ける方向に取り付け手段２１の相手部材２２を回転させたときに、発光部側に設けた係止部２４と係止して発光部１２の回転を停止させる係止相手部２７を収容部１３に設けた構成を具備する。【選択図】          図３
2006188931.tif 000002
【特許請求の範囲】
【請求項１】
消火栓その他の地下構造物の位置を表示するための発光装置であって、発光面をほぼ上向きにしてケース内に設けられ、ケースごと目的箇所に取り付けるために、目的箇所を貫通する取り付け手段をケース下部に突出させた発光部と、発光部を収める凹状の部分を有
し、かつ取り付け手段を貫通させる貫通口を底部に設けた収容部とを具備し、取り付け手段を締め付ける方向に取り付け手段の相手部材を回転させたときに、発光部側に設けた係止部と係止して発光部の回転を停止させる係止相手部を収容部に設けた構成を有する、地下構造物位置表示のための発光装置。
【請求項２】
発光部を収めるケースは、ほぼコップ状のもので、その底部にボルト頭部を埋め込みかつボルト軸部を下方へ突出させて固定することにより取り付け手段とした構成を有している請求項１記載の地下構造物位置表示のための発光装置。
【請求項３】
発光部の係止部と、それと係止する収容部の係止相手部は、取り付け手段を中心として直径方向に２箇所、１８０度間隔で、設けられている請求項１記載の地下構造物位置表示のための発光装置。
【発明の詳細な説明】
【技術分野】
【０００１】
本発明は、消火栓その他の地下構造物の位置を表示するための発光装置に関するものである。
【背景技術】
【０００２】
消防活動が十分に功を奏するには、消火栓をどれだけ早く探し出すことができるかどうかにかかっており、そのために、消火栓の位置が標識や路面のペイント表示で目立たせてある訳である。しかし夜間の作業では消火栓位置特定が困難であり、消火栓を発見するまでに時間がかかっている。
【０００３】
これに対し、特開平８−３５２３５号では、蓋体から所望の表示を発光させることができる発明を提案しており、これを消火栓に適用すれば、夜間における消火栓発見に役立て得ると思われる。しかしながら、同号の発明のように構成すると、発光体を光拡散性の柱状支持体内に埋設することになるため、外部から発見し難いという問題を生ずる。また同号の発明における従来の技術として図５に示されるように、路面より出る場合、外部から発見し易くなる反面、構造強度増強の必要上重量が過大になるとか、光の透過量が減少するというような問題を生ずる。
【０００４】
このため本件出願人は、特開２００４−３０８１６７号として開示した発光装置を提案し、夜間における消火栓位置発見を容易にするため、弾性体によって上方へ付勢されている発光部を備えたものとした。しかしながら自動車のタイヤにより間断なく上下動を繰り返すうちに、ボルトによって発光部が下から突き上げられ、破損に到る事故が続出し、耐久性に問題のあることが判明した。
【０００５】
【特許文献１】特開２００４−３０８１６７号
【発明の開示】
【発明が解決しようとする課題】
【０００６】
本発明は前記の点に着目してなされたもので、その課題は、夜間において外部からの発見を容易にすると同時に、高い耐久性を備え、しかも、交換等の際に蓋裏側からの作業のみでも脱着が可能な地下構造物位置表示のための発光装置を提供することである。
【課題を解決するための手段】
【０００７】
前記の課題を解決するため本発明は、消火栓その他の地下構造物の位置表示のための発光装置として、発光面をほぼ上向きにしてケース内に設けられ、ケースごと目的箇所に取り付けるために、目的箇所を貫通する取り付け手段をケース下部に突出させた発光部と、発光部を収める凹状の部分を有し、かつ取り付け手段を貫通させる貫通口を底部に設けた収容部とを具備し、取り付け手段を締め付ける方向に取り付け手段の相手部材を回転させたときに、発光部側に設けた係止部と係止して発光部の回転を停止させる係止相手部を収容部に設けた構成とするという手段を講じたものである。
【０００８】
本発明における発光部は、発光面をほぼ上向きにして設けられるので、例えば消火栓蓋の蓋表面などを目的箇所として、しかも蓋表面よりも僅かに出るようにして、発光面を配置できるものであり、良好な視認性を得ることができる。発光部はケースの内部に発光体とともに、組み込まれている。発光部は、発光機能部分である発光体と、発光体に電力を送る電源部と、発光体の発光形態を制御する制御部とを有し、電源部として太陽電池を使用することが望ましい。また、電源部は、発光部の中に一体にユニット化して設けられていても良いが、発光部の外部に別体で設けられていても良い。
【０００９】
発光部が、発光体等の全機能部品をケース内に組み込んでユニット化されていること、また全機能部品が、例えば適当な樹脂材料の中に保持されているような構造を持つことは望ましい態様である。さらに発光部はケースの下部に突出する取り付け手段を有する。取り付け手段は、ケース内に設けられている発光部を目的箇所に取り付けるための手段であり、例えばボルト類を適用し得る。ボルトを利用する場合には、ボルト頭部を、発光部を収めるケースの底部に設け、ボルト軸部を下方へ突出させるようにして、ボルトを固定することにより、取り付け手段とすることが望ましい。この構成により、本装置を地下構造物の蓋体に設ける場合に、蓋体の裏側からの作業のみで着脱交換が可能となる。
【００１０】
発光部を取り付ける目的箇所には収容部が必要である。収容部には、発光部が、取り付け手段によってケースごと組み込まれる。収容部は、地下構造物の蓋に設けることができる。この場合、蓋表面に凹状の部分、即ち凹部を設け、発光部を収める部分とする。また収容部は、地下構造物の位置を表示するものとしてその周囲の例えば蓋受け枠や、それに近接した箇所にも設けられる。
【００１１】
取り付け手段により発光部を収める部分に固定するための収容部を具備し、取り付け手段を締め付ける方向に取り付け手段の相手部材を回転させたときに、発光部の係止と係止して発行部の回転を停止させる係止相手部を収容部に設けた構成とするのは、発光部の着脱、特に取り付けを容易化するためで、これにより発光部を押さえていなくても、取り付ける手段により取り付けを的確に行うことができる。この場合、取り付け手段はボルトとナットであり、ボルトの方は前記のようにしてケース底部に固定しておくことが望まし
い。上記発光部の係止部と、それと係止する収容部の係止相手部は、取り付け手段を中心として直径方向に２箇所、１８０度間隔で、設けることができる。このとき、係止部と係止相手部は直径を通る軸線上に放射状に（対称に）設けても良いが、直径を通る軸線の両側に非対称（回転対称ではある）に設けることもでき、それによって係止部と係止相手部の側面全体で面接触状態となり、放射状に設けた場合よりも安定した接触状態が得られ、強度的にも有利となる、という利点を生ずる。
【発明の効果】
【００１２】
本発明は以上の如く構成されかつ作用するものであるから、夜間においても、発光作用によって消火栓その他の地下構造物の位置を表示し、発見を容易にして早期消火の目的の助けとなり、またそれ自体に機械的な可動機構を有していないので、耐久性が高められ、かつまた、取り付け手段としてボルトをケース底部に下方へ突出させて設け、蓋体を貫通した構成とすることにより、蓋体裏側からの作業だけで、本発明の装置を脱着交換することができる等顕著な効果を奏する。
【発明を実施するための最良の形態】
【００１３】
以下図示の実施形態を参照して本発明をより詳細に説明する。図は本発明を消火栓蓋に適用した１例に関するもので、発光装置１１は、図１に示す発光部１２と、発光部１２を収める凹部１３（図２）とを具備し、例示の場合には、消火栓蓋１０に２箇所に設けられている（図６参照）。
【００１４】
消火栓蓋１０は、鋳造によって形成されたダクタイル鋳鉄製のもので、蓋表面には発光部１２を収める部分として２箇所の凹部１３が設けられている（図２参照）。発光部１２は、上部に凸レンズ状の発光面１４を設けた発光体１５と、太陽電池１６と、バッテリー並びにチャージコントローラー等を含む電源部及び発光形態を制御する制御部とを有した発光機能部１７を具備し、ケース１８の中に、樹脂材料より成る充填材１９に保持された状態で組み込まれている。即ち発光部１２は、全体が一体的にユニット化されている例である。
【００１５】
ケース１８はほぼコップ状のもので、その底面には取り付け手段として雄ねじ部２１がボルト頭部２１ａを埋設した状態で設けてあり、それによってボルト軸部２１ｂを下方へ突出させている。ボルト軸部２１ｂの突出量は、目的箇所である凹部１３の底を貫通してさらにナット２２を締め付けるのに十分な長さが必要である。またケース１８の下面にはその中心を通る直径方向の軸線２３の両側に非対称に（回転対称ではある）、一対の係止部２４、２４が設けられており、これに対し、凹部１３の底部にも、雄ねじ部２１の貫通口２５と、その中心を通る直径方向の軸線２６の両側に非対称に（回転対称ではある）、一対の係止相手部２７、２７が設けられている。凹部１３の底部外方には貫通口２５を囲む枠状の囲み部２８が設けられており、ボルト軸部２１ｂの先端とナット２２はこの中に収まる（図５参照）。
【００１６】
消火栓蓋１０が取り付け対象であるので、発光部１２の収容部は蓋表面に設けられている凹部１３であり、凹部１３の周囲には突状のリブ２９が設けられていて、発光面１４の突出を軽減し、タイヤ等による外力の影響を緩和している。例示の場合、貫通口２５は前記の凹部１３の中心に１個設けられている。しかし貫通口２５は取り付け手段とともに、複数個設けることもできない訳ではない。
【００１７】
このような発光部１２は、予め発光面１４や発光体１５、太陽電池１６などを、底部に雄ねじ部２１を固定したケース１８の内部に充填材１９を用いて組み込み、ユニットとして一体化されているものであり、蓋体１０の凹部１３に表面から嵌め込む。すると、発光部１２の底部３１は凹部１３の底部３２に当たり、係止部２４と係止相手部２７は、発光部１２を回転させたときに面接触して回り止めとなる（図３及び図４）。このため、ボルト軸部２１ｂを蓋体１０の裏側に突出した状態としておけば、ナット２２をねじ合わせ締め付ける途中で発光部１２が空回りしても最大１８０度未満の回転で停止し、その後は確実にナット２２を締め付けることができる（図５）。係止部２４と係止相手部２７は面接触するため安定し強度的にも有利となる。発光部１２を凹部１３に嵌め込み、取り付けを完了した時点において、発光面１４は蓋表面よりも僅かに出ることにより、良好な視認性が得られる。
【００１８】
このような構成を有する本発明の発光装置１１では、蓋表面よりも発光面１４が僅かに出ているので、視認性が非常に良好であり、消火栓位置の発見を容易にする。一方、車輪によって本装置１１に外力が加えられるような場合、発光機能部分が樹脂材料よりなる充填材１９で保持されており、その上さらリブ２９が周囲を取り囲んで押圧力を軽減するので深刻なダメージを受けるに到らない。またケース１８を鋳物製として、発光機能部分を保護しているため、道路上でも長期間の使用に耐え、また損傷したものを交換するのも容易である。
【図面の簡単な説明】
【００１９】
【図１】Ａは本発明に係る地下構造物位置表示のための発光装置に用いる発光部の平面図、Ｂは側面図、Ｃは下面図。
【図２】Ａは本発明を構成する取り付け箇所の凹部の例を示す平面図、Ｂは中央縦断面図。
【図３】本発明に係る発光装置を分解して示す縦断面図。
【図４】着脱時における係止部と係止相手部を説明するもので、Ａは接触前の、Ｂは接触後の平面図。
【図５】本発明に係る発光装置を示す縦断面図。
【図６】本発明の実施形態を示す消火栓蓋の平面図。
【図７】同上の設置状況を説明するもので、図６のＶＩＩ−ＶＩＩ線断面図。
【符号の説明】
【００２０】
１０  消火栓蓋
１１  発光装置
１２  発光部
１３  凹部
１４  発光面
１５  発光体
１８  ケース
２１  雄ねじ部
２１ａ  ボルト頭部
２１ｂ  ボルト軸部
２２  ナット
２４  係止部
２５  貫通口
２７  係止相手部
【図１】
2006188931.tif 000003
【図２】
2006188931.tif 000004
【図３】
2006188931.tif 000005
【図４】
2006188931.tif 000006
【図５】
2006188931.tif 000007
【図６】
2006188931.tif 000008
【図７】
2006188931.tif 000009